(57)【要約】【課題】  極小の電極を作製する。【解決手段】  あるワイヤ直径と端部とを有する金属ワイヤを設けることと、ワイヤの端部からある距離を置いて導体を配置することと、からなる方法。本方法は、端部上に所定のサイズのビードを創出するように、距離及び放電の電位を設定した上で、導体と端部との間に電気の放電を発生させることを更に含む。本方法はまた、ビードがプローブの外表面に配置されるように、創出されたビードを備えるワイヤを侵襲型プローブ内へと組み付けることを含む。【選択図】  図１
2017077466.tif 000002
【特許請求の範囲】
【請求項１】
あるワイヤ直径と、端部とを有する金属ワイヤを設けることと、
前記ワイヤの前記端部からある距離を置いて導体を配置することと、
前記端部上に所定のサイズのビードを創出するために、前記距離及び放電の電位を設定した上で、前記導体と前記端部との間に電気の放電を発生させることと、
前記ビードがプローブの外表面に配置されるように、前記創出されたビードを備える前記ワイヤを侵襲型プローブ内へと組み付けることと、を含む、方法。
【請求項２】
前記金属ワイヤがもう１つの端部を有し、前記方法が、電気接点を作るように更なる金属ワイヤを前記もう１つの端部に付着させることを含み、前記ワイヤを組み付けることが、前記創出されたビードを備える前記ワイヤと前記付着された更なる金属ワイヤとを前記侵襲型プローブ内へと組み付けることを含む、請求項１に記載の方法。
【請求項３】
前記創出されたビード、前記金属ワイヤ、前記電気接点、及び前記更なる金属ワイヤの上に、シュリンクスリーブをスライドさせて次いで収縮させることを含む、請求項２に記載の方法。
【請求項４】
前記ワイヤのうちの前記ビードを含まない部分の上に、電気絶縁性のスリーブをスライドさせることを含む、請求項１に記載の方法。
【請求項５】
前記スリーブをスライドさせることが、前記ビードに接するように前記スリーブをスライドさせることを含む、請求項４に記載の方法。
【請求項６】
前記ワイヤを組み付けることが、前記創出されたビードを備える前記ワイヤと前記電気絶縁性のスリーブとを前記侵襲型プローブ内へと組み付けることを含む、請求項４に記載の方法。
【請求項７】
前記導体が更なるワイヤを含み、前記距離が、前記更なるワイヤの端部から前記金属ワイヤの前記端部までの距離を含む、請求項１に記載の方法。
【請求項８】
前記更なるワイヤと前記金属ワイヤとが共線的に整合される、請求項７に記載の方法。
【請求項９】
前記距離が０．１ｍｍ以下である、請求項１に記載の方法。
【請求項１０】
前記ビードが球状のビード表面を有する、請求項１に記載の方法。
【請求項１１】
前記球状のビード表面が前記プローブの前記外表面と面一である、請求項１０に記載の方法。
【請求項１２】
前記球状のビード表面が、前記球状のビード表面の半径だけ、前記プローブの前記外表面から突出する、請求項１０に記載の方法。
【請求項１３】
前記プローブの前記外表面と面一となるように、前記球状のビード表面を研磨することを含む、請求項１２に記載の方法。
【請求項１４】
前記球状のビード表面が、前記球状のビード表面の半径だけ、前記プローブの前記外表面の中へとくぼむ、請求項１０に記載の方法。
【請求項１５】
前記電気の放電の間に、前記導体及び前記端部に自然空冷をもたらすことを含む、請求項１に記載の方法。
【請求項１６】
あるワイヤ直径と、端部とを有する金属ワイヤと、
前記ワイヤの前記端部からある距離を置いて配置された導体と、
前記距離及び放電の電位を設定した上で、前記導体と前記端部との間に電気の放電を発生させることによって、前記端部上に形成された所定のサイズのビードと、
前記ビードがプローブの外表面に配置されるように、前記創出されたビードを備える前記ワイヤを受容するように構成された侵襲型プローブと、を備える、装置。
【請求項１７】
前記金属ワイヤがもう１つの端部を有し、前記装置が、前記もう１つの端部に付着された更なる金属ワイヤを備え、前記ワイヤを受容することが、前記創出されたビードを備える前記ワイヤと前記付着された更なる金属ワイヤとを前記侵襲型プローブ内へと受容することを含む、請求項１６に記載の装置。
【請求項１８】
前記創出されたビード、前記金属ワイヤ、前記電気接点、及び前記更なる金属ワイヤの上にスライドさせられて次いで収縮されるシュリンクスリーブを備える、請求項１７に記載の装置。
【請求項１９】
前記ワイヤのうちの前記ビードを含まない部分の上にスライドさせられた電気絶縁性のスリーブを備える、請求項１６に記載の装置。
【請求項２０】
前記スリーブをスライドさせることが、前記ビードに接するように前記スリーブをスライドさせることを含む、請求項１９に記載の装置。
【請求項２１】
前記ワイヤを受容することが、前記創出されたビードを備える前記ワイヤと前記電気絶縁性のスリーブとを前記侵襲型プローブ内へと受容することを含む、請求項１９に記載の装置。
【請求項２２】
前記導体が更なるワイヤを備え、前記距離が、前記更なるワイヤの端部から前記金属ワイヤの前記端部までの距離を含む、請求項１６に記載の装置。
【請求項２３】
前記更なるワイヤと前記金属ワイヤが共線的に整合されている、請求項２２に記載の装置。
【請求項２４】
前記距離が０．１ｍｍ以下である、請求項１６に記載の装置。
【請求項２５】
前記ビードが球状のビード表面を有する、請求項１６に記載の装置。
【請求項２６】
前記球状のビード表面が前記プローブの前記外表面と面一である、請求項２５に記載の装置。
【請求項２７】
前記球状のビード表面が、前記球状のビード表面の半径だけ、前記プローブの前記外表面から突出する、請求項２５に記載の装置。
【請求項２８】
前記プローブの前記外表面と面一となるように、前記球状のビード表面を研磨することを含む、請求項２７に記載の装置。
【請求項２９】
前記球状のビード表面が、前記球状のビード表面の半径だけ、前記プローブの前記外表面の中へとくぼむ、請求項２５に記載の装置。
【請求項３０】
前記電気の放電の間に、前記導体及び前記端部に自然空冷をもたらすことを含む、請求項１６に記載の装置。
【発明の詳細な説明】
【技術分野】
【０００１】
本発明は、広義には電極作製、具体的には、極小の電極の作製に関するものである。
【背景技術】
【０００２】
心臓手術に使用される侵襲的な医療用プローブ又はカテーテルは通常、調べられている領域又は手術されている心臓の領域の電位を収集するために電極を使用している。電極はまた、電流を心臓の中に注入するために、例えば、アブレーション、ペーシングのために、又はプローブの位置を決定するためにも使用され得る。関与する患者に対する外傷を最小限にするために、プローブは通常、可能な限り小さい直径を有している。
【０００３】
プローブのサイズが小さいことは、結果として、プローブの電極がそれに応じて極小のサイズを有することを意味する。更に、場合によっては、１つのプローブが、互いから空間的に分離されかつ電気的に絶縁された複数の電極を有することが望ましい。そのような多電極プローブは、心臓内の空間的に分離した部位からの同時的な電位収集、及び／又はそれらの部位の同時的なアブレーションに使用され得る。しかしながら、必要とされている多電極は、極小のサイズをなさなければならない。
【０００４】
脳波記録手技など、電極を使用する他のタイプの手技もまた、患者に対する外傷を最小限にするために、極小の電極を備える小さなプローブを使用することで恩恵を受ける。
【０００５】
開示内容が参照により本明細書に組み込まれる、Ｇｒｕｎｅｗａｌｄらに対する米国特許出願第２０１３／００６０２４５号には、直接的な組織の接触に適合されたアブレーションカテーテルが記載されている。そのカテーテルは、温度及びインピーダンス測定のための熱的及び電気的特性を含めて、組織の感知をより正確なものにする微小要素を有すると述べられている。その微小要素は、灌注アブレーション電極の中空チャンバを通じて延び、また微小要素の遠位端部は、電極の外側に突出し得るか又は電極と面一となり得る。
【０００６】
開示内容が参照により本明細書に組み込まれる、Ｋｙｏｍａｓｕ  Ｒｙｕｉｃｈｉに対する日本国特許公報第ＪＰ２０００−２３５９９５号には、ワイヤボンディングのためのボール形成法が記載されている。その開示では、細管の底部から延びるワイヤの先端と放電電極との間に高電圧が印加されて、ワイヤの先端にボールが形成されると述べられている。
【０００７】
参照により本特許出願に組み込まれる文書は、これらの組み込まれた文書において、いずれかの用語が、本明細書で明示的又は暗示的に示される定義と矛盾する様態で定義されており、本明細書における定義のみが考慮されるべきである場合を除き、本出願の不可欠な部分と見なされるものとする。
【発明の概要】
【課題を解決するための手段】
【０００８】
本発明のある実施形態は、方法を提供するものであり、該方法は、
あるワイヤ直径と、端部とを有する金属ワイヤを設けることと、
ワイヤの端部からある距離を置いて導体を配置することと、
端部上に所定のサイズのビードを創出するために、距離及び放電の電位を設定した上で、導体と端部との間に電気の放電を発生させることと、
ビードがプローブの外表面に配置されるように、創出されたビードを備えるワイヤを侵襲型プローブ内へと組み付けることと、を含む。
【０００９】
通常、金属ワイヤはもう１つの端部を有し、本方法は、電気接点を作るように更なる金属ワイヤをもう１つの端部に付着させることを含み、ワイヤを組み付けることは、創出されたビード備えるワイヤと付着された更なる金属ワイヤとを侵襲型プローブ内へと組み付けることを含む。本方法は、創出されたビード、金属ワイヤ、電気接点、及び更なる金属ワイヤの上に、シュリンクスリーブをスライドさせて次いで収縮させることを更に含み得る。
【００１０】
開示する実施形態では、本方法は、ワイヤのうちのビードを含まない部分の上に、電気絶縁性のスリーブをスライドさせることを含む。通常、本方法は、ビードに接するようにスリーブをスライドさせることを含む。本方法はまた、創出されたビードと電気絶縁性のスリーブとを備えるワイヤを侵襲型プローブ内へと組み付けることを含み得る。
【００１１】
開示する更なる実施形態では、導体は更なるワイヤを含み、距離は、更なるワイヤの端部から金属ワイヤの端部までの距離を含む。通常、更なるワイヤと金属ワイヤとは共線的に整合されている。
【００１２】
開示するなおも更なる実施形態では、その距離は０．１ｍｍ以下である。
【００１３】
代替的な実施形態では、ビードは球状のビード表面を有する。その球状のビード表面は、プローブの外表面と面一であってもよい。別の方法としては、球状のビード表面は、球状のビード表面の半径だけ、プローブの外表面から突出する。本方法は、プローブの外表面と面一となるように、球状のビード表面を研磨することを含み得る。更に別の方法としては、球状のビード表面は、球状のビード表面の半径だけ、プローブの外表面の中へとくぼんでいる。
【００１４】
更なる代替的実施形態では、本方法は、電気の放電の間に、導体及び端部に自然空冷をもたらすことを含む。
【００１５】
本発明のある実施形態により、装置が更に提供され、該装置は、
あるワイヤ直径と、端部とを有する金属ワイヤと、
ワイヤの端部からある距離を置いて配置された導体と、
距離及び放電の電位を設定した上で、導体と端部との間に電気の放電を発生させることによって、端部上に形成された所定のサイズのビードと、
ビードがプローブの外表面に配置されるように、創出されたビードを備えるワイヤを受容するように構成された侵襲型プローブと、を含む。
【００１６】
本開示は、以下の本開示の実施形態の詳細な説明を図面と併せて読むことで、より完全な理解が得られるであろう。
【図面の簡単な説明】
【００１７】
【図１】本発明のある実施形態によるカテーテル処置システムの略図である。
【図２】本発明のある実施形態による、プローブの遠位端部の一部分を横断面で示す略図である。
【図３Ａ】本発明のある実施形態による、微小電極組立体の形成における各段階を示す。
【図３Ｂ】本発明のある実施形態による、微小電極組立体の形成における各段階を示す。
【図３Ｃ】本発明のある実施形態による、微小電極組立体の形成における各段階を示す。
【図３Ｄ】本発明のある実施形態による、微小電極組立体の形成における各段階を示す。
【図３Ｅ】本発明のある実施形態による、微小電極組立体の形成における各段階を示す。
【図３Ｆ】本発明のある実施形態による、微小電極組立体の形成における各段階を示す。
【図４】本発明のある実施形態による、組立体の形成及びプローブの遠位端部への組立体の組込みにおける各工程の流れ図である。
【発明を実施するための形態】
【００１８】
概要
侵襲型プローブの遠位端部上の微小電極は通常、場合によっては約４００マイクロメートルの極小の直径を有する。微小電極は通常、白金、金、パラジウム、イリジウム、又はこれらの金属から形成された合金などの不活性金属でできており、また、微小電極を形成するために、従来技術のシステムは、遠位端部内に既にある導電ワイヤに極小の白金ビードをはんだ付けによって付着させる。この付着は、面倒でかつ時間を要し得るだけでなく、極小の要素を操作及びはんだ付けし得る専用の設備を必要とし得る。
【００１９】
本発明の実施形態は、これらの問題を克服するものである。通常は白金などの不活性金属から作製された短い金属ワイヤの第１の端部が、導電体から距離を置いて配置される。導電体はまた通常、ワイヤの形態であり、本明細書では「スパーク」ワイヤとも呼ばれる。不活性金属ワイヤの第１の端部上に所定のサイズのビードを創出するために、スパークワイヤと第１の端部との間の距離及び放電の電位を設定した上で、電気の放電、つまりスパークが、スパークワイヤと不活性金属ワイヤの第１の端部との間に発生される。
【００２０】
ビードが創出されると、ビードを備える不活性ワイヤは、ビードがプローブの外表面に配置されるように、侵襲型プローブ内へと組み付けられる。
【００２１】
通常、ビードの創出に先立って、短い金属ワイヤの第２の端部が、通常は銅の導電ワイヤに付着される。ポリイミドスリーブなど、電気絶縁性のプラスチックスリーブが、その組合せ体にスライドさせられ得、その後に、ビードが上述のように短い金属ワイヤの第１の端部上に形成され得る。スリーブ付きの組合せ体は、創出されたビードと共に、次いでプローブの開口部の中に挿入され得るが、その開口部の直径は、スリーブの外径と対応するように設定されている。この挿入により、通常、スリーブがビードに接することになり、その結果、挿入の後、微小電極として働くビードは、プローブから絶縁され、その結果、スリーブ付きの組合せ体は開口部をシールするように働く。
【００２２】
本発明の態様では、所与のサイズのビードが、上記で言及した距離及び電位に対して特定の値を設定することによって容易に生産され得る。更に、このビードの生産方法は、微小電極の組立ての従来技術の方法で必要とされるような、ビードをはんだ付けする必要性を排除するものである。
【００２３】
システムの説明
ここで図１を参照すると、図１は、本発明のある実施形態によるカテーテル処置システム２０の略図である。システム２０は通常、身体器官に対する医療手技の間に使用されるものであり、その手技は、とりわけ、器官から電気信号を収集すること、及び／又は器官に電気信号を注入することが想定される。本明細書における説明では、身体器官は一例として心臓を含むと想定され、システムは、心臓から心内の心電図（ＥＣＧ）信号を収集するように応用される。しかしながら、システム２０は、脳から脳波計（ＥＥＧ）信号を収集するなど、任意の身体器官へ／任意の身体器官から実質的に任意の電気信号を収集／注入するように応用され得ることが理解されよう。
【００２４】
以下の説明は、システム２０が、プローブ２４を用いて心臓２２から心内ＥＣＧ信号を感知すると想定する。プローブの遠位端部２６は、信号を感知するための少なくとも１つの微小電極組立体２８を有すると想定される。遠位端部２６への組立体の組込みと同様に、組立体２８の構造及び構成について以下でより詳細に説明する。通常、プローブ２４は、システム２０のユーザー３２によって実施される心臓手術の間に、対象３０の身体の中に挿入されるカテーテルを含む。本明細書の説明において、ユーザー３２は、医療専門家であると想定される。
【００２５】
システム２０は、ＥＣＧモジュール４４と通信する処理ユニット４２を備えるシステムプロセッサ４０によって制御され得る。プロセッサ４０は、通常はマウス又はトラックボールなどのポインティングデバイスを含む、オペレーティングコントロール５２を備えるコンソール５０上に取り付けられてもよい。医療専門家３２は、オペレーティングコントロールを用いてプロセッサと対話し、このプロセッサは、以下に説明するように、システム２０によって生じた結果を医療専門家に向けて画面５４上に提示するために使用され得る。
【００２６】
画面は、組立体２８内の１つ又は２つ以上の電極によって収集されたＥＣＧ信号の解析及び処理の結果を、信号がＥＣＧモジュール４４に転送された後に表示する。通常は、得られたＥＣＧ信号は、電位対時間グラフの形態で画面５４上に提示され、このようなグラフの概略例６０が図１に示されている。しかしながら、ＥＣＧモジュールから取得された、得られたＥＣＧ信号はまた、局所興奮時間（ＬＡＴ）などの、ＥＣＧ信号と関連付けられる他の結果を導出するために、プロセッサ４０によって用いられてもよい。これらの結果は、通常は、心臓２２の内面の三次元（３Ｄ）マップ６４の形態で画面５４上に提示される。
【００２７】
プロセッサ４０は、プロセッサのメモリ内に記憶されたソフトウェアを用いてシステム２０を操作する。ソフトウェアは、例えば、ネットワークを介して、電子的形態でプロセッサ４０にダウンロードされてもよいし、又は代替的若しくは追加的に、磁気メモリ、光メモリ、若しくは電子メモリなどの、非一時的な有形媒体上に提供かつ／若しくは記憶されてもよい。
【００２８】
プロセッサ４０は通常、プローブ追跡モジュール、遠位端部２６にかかる力を測定する力モジュール、遠位端部用の灌注液を制御する灌注モジュール、及び調整された電力を遠位端部に与えるアブレーションモジュールなど、ＥＣＧモジュール４４とは別の他のモジュールを備える。簡単にするために、このようなモジュールは図１には示していない。カリフォルニア州ダイアモンドバー（ダイアモンドバー（Diamond Bar）のバイオセンスウェブスター社（Biosense Webster）によって生産されているＣａｒｔｏ（登録商標）システムは、ＥＣＧモジュール４４などのＥＣＧモジュール、並びに本明細書で言及した他のモジュールを使用している。
【００２９】
図２は、本発明のある実施形態による、遠位端部２６の一部分を横断面で示す略図である。遠位端部２６は、一例として、導電性ドーム７０から形成されると想定され、この導電性ドーム７０の中へ灌注開口部７２及び組立体開口部７４が形成されている。一例として、３つの灌注開口部７２が図２に示されているが、通常は、３つよりもはるかに多くのそのような開口部が存在してもよく、また灌注開口部は、ドーム７０のうちの実質的にいかなる部分に形成されてもよい。同様に一例として、３つの組立体開口部７４が図２に示されているが、ドームに形成されたそのような開口部が１つだけ存在しても、２つ又は３つ以上存在してもよく、また組立体開口部は、図示されるように、ドームの平坦端部７８、平坦端部の縁部８０、及びドームの壁部８１を含めて、ドームのうちの実質的にいかなる部分に形成されてもよい。ドーム７０は、上記で参照した米国特許出願第２０１３／００６０２４５号で記載されているドームと、構造において概ね類似していてもよい。
【００３０】
ドーム７０は、外表面８８と内表面９０とを有し、後者は、ドームによって囲まれた空洞８２の外表面を形成する。空洞８２は、開口部７２を介して排出される灌注液を受容するように構成され得る。以下で説明するように、組立体２８は、組立体の個々の近位部分８４が空洞８２に進入し空洞８２を横切る一方で、組立体の個々の遠位部分８６がドーム７０の外表面８８に位するように、個々の（respected）組立体開口部７４の中に挿入される。
【００３１】
挿入後、遠位部分８６内の微小電極９２は、縁部８０の組立体開口部７４内の組立体２８に関して図２で例示するように、外表面８８からわずかに突出し得る。別の方法としては、挿入後、遠位部分８６内の微小電極９２は、縁部７８の組立体開口部７４内の組立体２８に関して図で例示するように、外表面８８に対してわずかにくぼんでいてもよい。更に別の方法としては、挿入後、遠位部分８６内の微小電極は、壁部８１の組立体開口部７４内の組立体２８に関して図で例示するように、外表面８８とほぼ面一となり得る。いくつかの実施形態では、ビードが外部表面の幾何学的形状と厳密に調和するように、ビードの輪郭を形作るために二次的な研磨工程が実施され得る。
【００３２】
微小電極９２が表面８８から突出するか、表面８８と面一であるか、表面８８の中へとくぼんでいるかにかかわらず、所与の組立体２８が対応する開口部内に挿入された後、微小電極は、ドーム７０が組織と接触したときに、組織から電気信号を送受信することが可能となる。
【００３３】
微小電極９２の形成について以下に説明する。
【００３４】
図３Ａ〜３Ｆは組立体２８の形成における各段階を示し、図４は、本発明のある実施形態による、組立体の形成及び遠位端部２６への組立体の組込みにおける各工程の流れ図である。初期の工程１００で、本明細書では白金を含むと想定される、金属製で生体適合性の不活性導電ワイヤ１５０が、通常ははんだ付け、抵抗溶接、又はレーザー溶接によって、ワイヤの形態をなす別の導体１５２、通常は銅に付着される。不活性金属ワイヤ１５０は、遠位端部１５４と近位端部１５６とを有する。導体１５２は、遠位端部１５８と近位端部１６０とを有する。この付着のプロセスは、不活性ワイヤの近位端部１５６を導体の遠位端部１５８に接合体１６２によって連結するものであり、それにより、２つの導体は互いに固定されるようになる。工程１００は図３Ａでは概略的に示されており、本発明のある実施形態では、不活性ワイヤ１５０は、３ｍｍのおおよその長さと、１７５マイクロメートルのおおよその直径とを有する。必ずしもそうではないが通常は、導体１５２は、不活性導電ワイヤ１５０の直径よりも小さい直径を有する。
【００３５】
第１の準備工程１０４では、工程１０２で形成された組合せ体が、通常はバイスで把持されることによって、固定位置に取り付けられる。
【００３６】
第２の準備工程１０６では、通常は導電ワイヤである、導体１７６の先細先端部１７４が、不活性ワイヤの遠位端部１５４から測定距離「Ａ」に配置される。いくつかの実施形態では、距離「Ａ」は約０．１ｍｍ以下である。通常、２本のワイヤは共線であるべきであるが、任意の好都合な配向、例えば水平又は垂直をなしてもよい。導体１７６はまた、本明細書ではスパークワイヤ１７６とも呼ばれる。発電機１８０がスパークワイヤ１７６と導体１５２との間に接続される。いくつかの実施形態では、発電機１８０は、高ＤＣ電流を与える、カリフォルニア州モンロビア（Monrovia）のアマダミヤチ社（Amada Miyachi）によって生産されているＭｉｙａｃｈｉ  ＵｎｉｔｅｋモデルＵＢ２９などの抵抗溶接機を備える。
【００３７】
電極形成工程１０８では、発電機１８０の電圧レベルが調整され、それにより、作動されると、発電機１８０は、先端部１７４と不活性ワイヤの遠位端部１５４との間で、本明細書ではスパークとも呼ばれる電気の放電を空気中に発生するようになる。発電機は、通常は約１Ｖの電圧で、約５ｍｓの期間にわたって作動され、その間に、放電を生じさせるために約２００ＡのＤＣ電流が流れる。この放電は、遠位端部１５４を微小電極９２へと変形させ、微小電極９２は、通常は形状において部分的に球状であり、不活性ワイヤ１５０に付着したままであるビードの形態をなす。一実施形態では、スパークは、少なくとも１００ａｍｐを１〜１０ｍｓにわたって与えるように設定された発電機で発生された。
【００３８】
スパークは極めて迅速に形成され、本発明者らは、微小電極の形成には強制空冷ではなく自然空冷で十分であることを見出した。微小電極９２はまた、本明細書ではビード９２とも呼ばれる。ビード９２の形成は、組立体２８をプローブ２４の遠位端部２６の中に挿入するのに先立って、組立体２８を形成するプロセスを終結させるものである。
【００３９】
図３Ｂは、ビード９２の形成に至るまでの工程１０２〜１０８を概略的に示し、図３Ｃは、ビード９２の形成後の完成した微小電極組立体２８を概略的に示している。ビード９２は直径Ｄを有し、これは不活性ワイヤ１５０の直径よりも大きいものである。いくつかの実施形態では、直径Ｄは約４００マイクロメートルである。
【００４０】
スリーブ取付工程１０９では、通常はポリイミドなどのプラスチックでできた絶縁スリーブ１７０が、工程１００で形成された不活性ワイヤと導体との組合せ体の上にスライドさせられる。非膨張形態にあるスリーブ１７０の初期の内径は、不活性ワイヤ１５０の直径よりもわずかに小さくなるように構成されている。スライドさせる操作は、スリーブ１７０が膨張し、不活性ワイヤ１５０を把持するように、すなわち、膨張形態にあるスリーブの内径が、不活性ワイヤ１５０の領域において、不活性ワイヤの直径と等しくなるように実施される。
【００４１】
スライドさせる操作はまた、スリーブ１７０が接合体１６２を被覆するように、ただし微小電極９２はスリーブによって被覆されないように実施される。
【００４２】
別の方法としては、薄肉のシュリンクスリーブが組合せ体の上で使用され得る。収縮プロセスをスリーブに適用することにより、スリーブは、ビード、不活性ワイヤ、及び導電ワイヤに適合して、組合せ体を電気的に隔離するように働く。
【００４３】
最後の成形工程１１０では、工程１０９で生産された、完成した微小電極組立体２８が、ドーム７０内の選択された組立体開口部７４の中にスライドされる。開口部は、絶縁スリーブの直径は収まるがビードの直径は収まらない直径を有するように構成される。微小組立体が、選択された組立体開口部内に着座された後、微小組立体は次いで、接着剤を使用して固定される。
【００４４】
任意の所与の組立体２８を個々の組立体開口部７４の中に組み込むことは、ビード９２が外表面８８からわずかに突出すること、表面とほぼ面一となること、又は表面の中へとわずかにくぼむことで終結する。
【００４５】
図３Ｄ、３Ｅ、及び３Ｆは、ビード９２がそれぞれ外表面８８から突出し、表面と面一となり、表面の中へわずかにくぼむように、組立体２８が開口部７４の中に挿入された後の工程１１０を概略的に示している。典型的な突出距離は、ビードの半径であり、それにより、４００マイクロメートルのビードは、表面から２００マイクロメートルだけ突出し得る。典型的なくぼみ距離は、典型的な突出距離とほぼ同じである。
【００４６】
必要とされる場合、微小電極のいかなる突出も、組立体が接着剤で固定された後に、ドーム７０の表面を研磨することによって、例えばバフ研磨することによって排除され得る。
【００４７】
上述の実施形態は、例として引用したものであり、本発明は、上に具体的に示し、記載した内容に限定されるものではないということが理解されるであろう。むしろ、本発明の範囲には、上記で説明した様々な特徴の組み合わせ及び部分的な組み合わせ、並びに、上記の説明を読むことで当業者には想到されるであろう、従来技術には開示されていないそれらの変形例及び改変例が含まれる。
【００４８】
〔実施の態様〕
（１）  あるワイヤ直径と、端部とを有する金属ワイヤを設けることと、
前記ワイヤの前記端部からある距離を置いて導体を配置することと、
前記端部上に所定のサイズのビードを創出するために、前記距離及び放電の電位を設定した上で、前記導体と前記端部との間に電気の放電を発生させることと、
前記ビードがプローブの外表面に配置されるように、前記創出されたビードを備える前記ワイヤを侵襲型プローブ内へと組み付けることと、を含む、方法。
（２）  前記金属ワイヤがもう１つの端部を有し、前記方法が、電気接点を作るように更なる金属ワイヤを前記もう１つの端部に付着させることを含み、前記ワイヤを組み付けることが、前記創出されたビードを備える前記ワイヤと前記付着された更なる金属ワイヤとを前記侵襲型プローブ内へと組み付けることを含む、実施態様１に記載の方法。
（３）  前記創出されたビード、前記金属ワイヤ、前記電気接点、及び前記更なる金属ワイヤの上に、シュリンクスリーブをスライドさせて次いで収縮させることを含む、実施態様２に記載の方法。
（４）  前記ワイヤのうちの前記ビードを含まない部分の上に、電気絶縁性のスリーブをスライドさせることを含む、実施態様１に記載の方法。
（５）  前記スリーブをスライドさせることが、前記ビードに接するように前記スリーブをスライドさせることを含む、実施態様４に記載の方法。
【００４９】
（６）  前記ワイヤを組み付けることが、前記創出されたビードを備える前記ワイヤと前記電気絶縁性のスリーブとを前記侵襲型プローブ内へと組み付けることを含む、実施態様４に記載の方法。
（７）  前記導体が更なるワイヤを含み、前記距離が、前記更なるワイヤの端部から前記金属ワイヤの前記端部までの距離を含む、実施態様１に記載の方法。
（８）  前記更なるワイヤと前記金属ワイヤとが共線的に整合される、実施態様７に記載の方法。
（９）  前記距離が０．１ｍｍ以下である、実施態様１に記載の方法。
（１０）  前記ビードが球状のビード表面を有する、実施態様１に記載の方法。
【００５０】
（１１）  前記球状のビード表面が前記プローブの前記外表面と面一である、実施態様１０に記載の方法。
（１２）  前記球状のビード表面が、前記球状のビード表面の半径だけ、前記プローブの前記外表面から突出する、実施態様１０に記載の方法。
（１３）  前記プローブの前記外表面と面一となるように、前記球状のビード表面を研磨することを含む、実施態様１２に記載の方法。
（１４）  前記球状のビード表面が、前記球状のビード表面の半径だけ、前記プローブの前記外表面の中へとくぼむ、実施態様１０に記載の方法。
（１５）  前記電気の放電の間に、前記導体及び前記端部に自然空冷をもたらすことを含む、実施態様１に記載の方法。
【００５１】
（１６）  あるワイヤ直径と、端部とを有する金属ワイヤと、
前記ワイヤの前記端部からある距離を置いて配置された導体と、
前記距離及び放電の電位を設定した上で、前記導体と前記端部との間に電気の放電を発生させることによって、前記端部上に形成された所定のサイズのビードと、
前記ビードがプローブの外表面に配置されるように、前記創出されたビードを備える前記ワイヤを受容するように構成された侵襲型プローブと、を備える、装置。
（１７）  前記金属ワイヤがもう１つの端部を有し、前記装置が、前記もう１つの端部に付着された更なる金属ワイヤを備え、前記ワイヤを受容することが、前記創出されたビードを備える前記ワイヤと前記付着された更なる金属ワイヤとを前記侵襲型プローブ内へと受容することを含む、実施態様１６に記載の装置。
（１８）  前記創出されたビード、前記金属ワイヤ、前記電気接点、及び前記更なる金属ワイヤの上にスライドさせられて次いで収縮されるシュリンクスリーブを備える、実施態様１７に記載の装置。
（１９）  前記ワイヤのうちの前記ビードを含まない部分の上にスライドさせられた電気絶縁性のスリーブを備える、実施態様１６に記載の装置。
（２０）  前記スリーブをスライドさせることが、前記ビードに接するように前記スリーブをスライドさせることを含む、実施態様１９に記載の装置。
【００５２】
（２１）  前記ワイヤを受容することが、前記創出されたビードを備える前記ワイヤと前記電気絶縁性のスリーブとを前記侵襲型プローブ内へと受容することを含む、実施態様１９に記載の装置。
（２２）  前記導体が更なるワイヤを備え、前記距離が、前記更なるワイヤの端部から前記金属ワイヤの前記端部までの距離を含む、実施態様１６に記載の装置。
（２３）  前記更なるワイヤと前記金属ワイヤが共線的に整合されている、実施態様２２に記載の装置。
（２４）  前記距離が０．１ｍｍ以下である、実施態様１６に記載の装置。
（２５）  前記ビードが球状のビード表面を有する、実施態様１６に記載の装置。
【００５３】
（２６）  前記球状のビード表面が前記プローブの前記外表面と面一である、実施態様２５に記載の装置。
（２７）  前記球状のビード表面が、前記球状のビード表面の半径だけ、前記プローブの前記外表面から突出する、実施態様２５に記載の装置。
（２８）  前記プローブの前記外表面と面一となるように、前記球状のビード表面を研磨することを含む、実施態様２７に記載の装置。
（２９）  前記球状のビード表面が、前記球状のビード表面の半径だけ、前記プローブの前記外表面の中へとくぼむ、実施態様２５に記載の装置。
（３０）  前記電気の放電の間に、前記導体及び前記端部に自然空冷をもたらすことを含む、実施態様１６に記載の装置。
【図１】
2017077466.tif 000003
【図２】
2017077466.tif 000004
【図３Ａ】
2017077466.tif 000005
【図３Ｂ】
2017077466.tif 000006
【図３Ｃ】
2017077466.tif 000007
【図３Ｄ】
2017077466.tif 000008
【図３Ｅ】
2017077466.tif 000009
【図３Ｆ】
2017077466.tif 000010
【図４】
2017077466.tif 000011
【外国語明細書】
2017077466000001.pdf